【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
画像に予め定められた色の変更を希望しない領域であるオブジェクトが存在するか否かを判定する判定手段と、
前記判定手段によって前記画像に前記予め定められたオブジェクトが存在すると判定された場合は、前記画像において前記予め定められたオブジェクトの色以外の特定色を補正し、前記判定手段によって前記画像に前記予め定めたオブジェクトが存在しないと判定された場合は、前記画像全体の彩度を補正する補正手段と
を備えることを特徴とする画像の色補正処理を実行するための画像処理装置。
【請求項２】
特定色を強調するための複数の色強調テーブルを保持する保持手段をさらに備え、
記判定手段によって前記画像に前記予め定められたオブジェクトが存在すると判定された場合、前記補正手段は、
前記画像から得られた画素値と、前記画像から得られた画素値に対して前記保持手段によって保持された複数の色強調テーブルを適用した後の画素値とに基づき、前記複数の色強調テーブルの適用前後の変動量それぞれ算出する算出手段と、
前記算出手段によって算出された変動量に応じて一つ以上の色強調テーブルを選択する選択手段と、
前記選択手段によって選択された特定色を強調するための色強調テーブルを前記画像に適用することにより、前記画像の予め定められたオブジェクトの色以外の前記特定色を補正する特定色補正手段と、
を有することを特徴とする請求項１に記載の画像処理装置。
【請求項３】
画像を縮小した縮小画像データに対してホワイトバランス補正と階調補正を行う手段をさらに備え、
前記縮小画像に対してホワイトバランス補正と階調補正が行われた後の画像に対して、前記判定手段以降の処理が実行されることを特徴とする請求項１または２に記載の画像処理装置。
【請求項４】
前記選択手段は、前記算出手段によって算出された画素毎の変動量を積算し、該積算した変動量を前記画像データの画素数で除算することにより、前記複数の色強調テーブル毎に平均変動量を算出し、平均変動量が他の色強調テーブルの平均変動量と比べて大きい色強調テーブルを選択することを特徴とする請求項２に記載の画像処理装置。
【請求項５】
前記選択手段によって選択された色強調テーブルを前記画像に適用する強度を算出する手段を更に備え、
前記強度を算出する手段は、前記色強調テーブルの適用前後の平均変動量、前記色強調テーブルによって画素値が一定の値以上変動する画素数又は前記色強調テーブル適用前の画像の彩度のうち少なくとも一つに基づき、前記画像に適用される色強調テーブルの強度が算出されることを特徴とする請求項４に記載の画像処理装置。
【請求項６】
前記画像を縮小し縮小画像データを生成し、前記縮小画像データの各画素に対してグリ
ッド位置を算出する手段と、
前記算出されたグリッド位置に対応する画素の度数を積算することにより、前記縮小画
像のグリッドヒストグラムを算出する手段と、
前記グリッドヒストグラムの各グリッド値を補正する手段と
を更に備え、
前記変動量を算出する手段は、
前記補正されたグリッド値に対して前記複数の色強調テーブルを適用し、当該色強調テーブルの適用前後の変動量を算出し、
前記選択手段は、前記算出された変動量に応じて色強調テーブルを選択することを特徴とする請求項２に記載の画像処理装置。
【請求項７】
前記選択手段は、
前記算出手段によって算出された色強調効果の大きさに基づき、前記複数の色強調テーブルの中で変動量が大きい上位Ｎ個の色強調テーブルを選択することを特徴とする請求項２または６のいずれか１項に記載の画像処理装置。
【請求項８】
前記強度は、
前記色強調効果の大きさ並びに前記色強調テーブルの適用前後における画素の平均変動量、一定の値以上変動する画素数又は色強調前の画像の彩度のうち少なくとも１つに基づき、前記画像に適用される色強調テーブルの強度を算出することを特徴とする請求項３乃至６のいずれか１項に記載の画像処理装置。
【請求項９】
前記画像を縮小し縮小画像データを生成し、前記縮小画像データの各画素に対してグリッド位置を算出する手段と、
前記算出されたグリッド位置に対応する画素の度数を積算することにより、前記縮小画像のグリッドヒストグラムを算出する手段と、
前記グリッドヒストグラムの各グリッド値に対してホワイトバランス補正と階調補正を行う手段と
をさらに備え、前記算出手段は、
前記ホワイトバランス補正と階調補正が行われた後のグリッド値に対して、前記複数の色強調テーブルを適用し、前記複数の色強調テーブルの適用前後の変動量を算出することを特徴とする請求項２に記載の画像処理装置。
【請求項１０】
画像に予め定められた色の変更を希望しない領域であるオブジェクトが存在するか否かを判定するステップと、
前記判定手段によって前記画像に前記予め定められたオブジェクトが存在すると判定された場合は、前記画像において前記予め定められたオブジェクトの色以外の特定色を補正し、前記判定手段によって前記画像に前記予め定めたオブジェクトが存在しないと判定された場合は、前記画像全体の彩度を補正するステップと
を備えることを特徴とする画像の色補正処理を実行するための画像処理方法。
【請求項１１】
特定色を強調するための複数の色強調テーブルを保持するステップをさらに備え、
前記判定するステップにおいて前記画像に前記予め定められたオブジェクトが存在すると判定された場合、前記補正するステップは、
前記画像から得られた画素値と、前記画像から得られた画素値に対して前記保持するステップにおいて保持された複数の色強調テーブルを適用した後の画素値とに基づき、前記複数の色強調テーブルの適用前後の変動量それぞれ算出するステップと、
前記算出するステップにおいて算出された変動量に応じて一つ以上の色強調テーブルを選択するステップと、
前記選択ステップにおいて選択された特定色を強調するための色強調テーブルを前記画像に適用することにより、前記画像の予め定められたオブジェクトの色以外の前記特定色を補正するステップと、
を含むことを特徴とする請求項１０に記載の画像処理方法。
【請求項１２】
コンピュータを、請求項１乃至９のいずれか１項に記載の画像処理装置として機能させるためのプログラム。
【手続補正２】
【補正対象書類名】明細書
【補正対象項目名】０００７
【補正方法】変更
【補正の内容】
【０００７】
このような目的を達成するため、本願発明の画像形成装置は、画像の色補正処理を実行するための画像処理装置であって、画像に予め定められた色の変更を希望しない領域であるオブジェクトが存在するか否かを判定する判定手段と、判定手段によって画像に予め定められたオブジェクトが存在すると判定された場合は、画像において予め定められたオブジェクトの色以外の特定色を補正し、判定手段によって画像に予め定めたオブジェクトが存在しないと判定された場合は、画像全体の彩度を補正する補正手段とを備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本願発明は、画像の色補正処理を実行するための画像処理方法であって、画像に予め定められた色の変更を希望しない領域であるオブジェクトが存在するか否かを判定するステップと、判定手段によって画像に予め定められたオブジェクトが存在すると判定された場合は、画像において予め定められたオブジェクトの色以外の特定色を補正し、判定手段によって画像に前記予め定めたオブジェクトが存在しないと判定された場合は、画像全体の彩度を補正するステップとを備えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本願発明のプログラムは、コンピュータを、上記の画像処理装置として機能させるためのものであることを特徴とする。